(57)【要約】  球技用の反発壁（１０）は、基台ユニット（１２）と壁ユニット（１４）を有する。壁ユニットを基台ユニットに対して少なくとも２つの異なる姿勢で配置して装置からのボールの跳ね返り方を変化させることができる。【選択図】  図１
2010516297.tif 000002
【特許請求の範囲】
【請求項１】
ボールを当てることができる面を有し、該面が少なくとも２つの部分を有し、ボールがそれぞれの部分から異なるように跳ね返る、球技用の反発壁。
【請求項２】
前記面は、少なくとも１つの湾曲部分を有する、請求項１に記載の反発壁。
【請求項３】
前記少なくとも２つの部分は、上側部分と下側部分を有し、前記上側部分は、前記下側部分に対して傾斜している、請求項１または請求項２に記載の反発壁。
【請求項４】
前記下側部分は、垂直に対して下後方に傾斜された、請求項３に記載の反発壁。
【請求項５】
前記下側部分は、垂直に対して約５度下後方に傾斜された、請求項３または請求項４に記載の反発壁。
【請求項６】
前記上側部分は、前記下側部分に対して少なくとも２つの異なる姿勢で配置することができる、請求項３から５のいずれか１項に記載の反発壁。
【請求項７】
前記姿勢のうちの１つで、上側部分は、ほぼ垂直である、請求項６に記載の反発壁。
【請求項８】
前記姿勢のうちの１つで、上側部分は、垂直に対して約３０度である、請求項６に記載の反発壁。
【請求項９】
前記下側部分の前に延在する傾斜面部分を有し、該傾斜面部分が上後方に延在する、請求項３から８のいずれか１項に記載の反発壁。
【請求項１０】
前記下側部分の一部が、可動要素の第１の面によって画定され、該可動要素は、第２の面を有し且つ第１と第２の動作位置の間にあり、
第１の動作位置では、第１の面は、下側部分の残りの部分と実質的に位置合わせされ、
第２の動作位置では、第２の面は、露出され、下側前方に傾斜されて傾斜面を構成する、請求項３から８のいずれか１項に記載の反発壁。
【請求項１１】
基台ユニットと壁ユニットを有し、壁ユニットは基台ユニット上に取り付け可能な、請求項１から１０のいずれか１項に記載の反発壁。
【請求項１２】
前記基台ユニットは、第１の係合手段を有し、前記壁ユニットは、該第１の係合手段と相補的な第２の係合手段を有し、それにより前記基台ユニットと前記壁ユニットを係合することができる、請求項１１に記載の反発壁。
【請求項１３】
前記壁ユニットは、少なくとも２つの第２の係合手段を有し、前記壁ユニットは、それぞれの第２の係合手段が前記第１の係合手段と係合されたときに前記基台ユニットに対して異なるように位置決めされる、請求項１２に記載の反発壁。
【請求項１４】
前記第１と第２の係合手段は、ソケットおよび相補的な突起を有する、請求項１２または１３に記載の反発壁。
【請求項１５】
前記第１の係合手段は、少なくとも１つのソケットを有する、請求項１２から１４のいずれか１項に記載の反発壁。
【請求項１６】
前記第２の係合手段は、少なくとも１つの突起を有する、請求項１２から１５のいずれか１項に記載の反発壁。
【請求項１７】
前記壁ユニットは下側縁を有し、１つの前記第２の係合手段は、下側縁から延在する少なくとも１つの突起を有する、請求項１２から１６のいずれか１項に記載の反発壁。
【請求項１８】
前記壁ユニットは、上側縁を有し、１つの前記第２の係合手段は、上側縁から延在する少なくとも１つの突起を有する、請求項１２から１７のいずれか１項に記載の反発壁。
【請求項１９】
前記壁ユニットは、軸のまわりで回転するように前記基台ユニットに取り付けられた、請求項１１に記載の反発壁。
【請求項２０】
壁は、少なくとも１本の支柱が前記壁ユニットと前記基台ユニットの間に延在する、請求項１から２１のいずれか１項に記載の反発壁。
【請求項２１】
前記基台ユニットは、１本のまたはそれぞれの前記支柱用に少なくとも２つの取り付け位置を有する、請求項２０に記載の反発壁。
【請求項２２】
各取り付け位置は、前記支柱を受ける凹部を有する、請求項２１に記載の反発壁。
【請求項２３】
ボールを当てることができる面を有し、該面が下側部分と上側部分を有する球技用の反発壁であって、
前記下側部分は、垂直に対して下後方に傾斜され、
前記上側部分は、垂直に対して上後方に傾斜された前記反発壁。
【請求項２４】
前記下側部分は、垂直に対して約５度下後方に傾斜された、請求項２３に記載の反発壁。
【請求項２５】
前記面は、少なくとも１つの湾曲部分を有する、請求項２３または請求項２４に記載の反発壁。
【請求項２６】
前記下側部分は、垂直に対して約５度下後方に傾斜された、請求項２３から２５のいずれか１項に記載の反発壁。
【請求項２７】
前記上側部分は、前記下側部分に対して少なくとも２つの異なる姿勢で配置することができる、請求項２３から２６のいずれか１項に記載の反発壁。
【請求項２８】
前記姿勢のうちの１つで、上側部分は、ほぼ垂直である、請求項２７に記載の反発壁。
【請求項２９】
前記姿勢のうちの１つで、上側部分は、垂直に対して約３０度である、請求項２７または請求項２８に記載の反発壁。
【請求項３０】
基台ユニットと壁ユニットを有し、壁ユニットは基台ユニット上に取り付け可能な、請求項２３から２９のいずれか１項に記載の反発壁。
【請求項３１】
前記下側部分は前記基台ユニット上にあり、前記上側部分は前記壁ユニット上にある、請求項３０に記載の反発壁。
【請求項３２】
前記基台ユニットは、第１の係合手段を有し、前記壁ユニットは、該第１の係合手段と相補的な第２の係合手段を有し、それにより前記基台ユニットと前記壁ユニットを係合することができる、請求項３０から３１のいずれか１項に記載の反発壁。
【請求項３３】
前記壁ユニットは、少なくとも２つの第２の係合手段を有し、前記壁ユニットは、それぞれの第２の係合手段が前記第１の係合手段と係合されたときに前記基台ユニットに対して異なるように位置決めされる、請求項３２に記載の反発壁。
【請求項３４】
前記第１と第２の係合手段は、ソケットおよび相補的な突起を有する、請求項３３に記載の反発壁。
【請求項３５】
前記第１の係合手段は、少なくとも１つのソケットを有する、請求項３２から３４のいずれか１項に記載の反発壁。
【請求項３６】
前記第２の係合手段は、少なくとも１つの突起を有する、請求項３２から３５のいずれか１項に記載の反発壁。
【請求項３７】
前記壁ユニットは下側縁を有し、１つの前記第２の係合手段は、下側縁から延在する少なくとも１つの突起を有する、請求項３２から３６のいずれか１項に記載の反発壁。
【請求項３８】
前記壁ユニットは、下側縁を有し、１つの前記第２の係合手段は、上側縁から延在する少なくとも１つの突起を有する、請求項３２から３７のいずれか１項に記載の反発壁。
【請求項３９】
前記壁ユニットは、軸のまわりで回転するように前記基台ユニットに取り付けられた、請求項３０に記載の反発壁。
【請求項４０】
前記壁ユニットと前記基台ユニットの間に延在する少なくとも１本の支柱を有する、請求項３０から３９のいずれか１項に記載の反発壁。
【請求項４１】
前記基台ユニットは、１本のまたはそれぞれの前記支柱用に少なくとも２つの取り付け位置を有する、請求項４０に記載の反発壁。
【請求項４２】
各取り付け位置は、前記支柱を受ける凹部を有する、請求項４１に記載の反発壁。
【請求項４３】
前記下側部分の前に延在する傾斜面部分を有し、該傾斜面部分が上後方に延在する、請求項２３から４２のいずれか１項に記載の反発壁。
【請求項４４】
前記下側部分の一部が、可動要素の第１の面によって画定され、該可動要素は、第２の面を有し且つ第１と第２の動作位置の間にあり、
第１の動作位置では、第１の面は、下側部分の残りの部分と実質的に位置合わせされ、
第２の動作位置では、第２の面は、露出され、下側前方に傾斜されて傾斜面を構成する、請求項２３から４２のいずれか１項に記載の反発壁。
【請求項４５】
実質的に図面に関して本明細書で説明したような反発壁。
【発明の詳細な説明】
【技術分野】
【０００１】
本発明は、サッカーや他の球技用の訓練補助道具に関し、より詳細にはひとりまたは複数の人々が使用することができるサッカー用訓練補助道具に関する。
【発明の開示】
【課題を解決するための手段】
【０００２】
１つの広義の形態では、本発明は、ボールを当てることができ下側部分と上側部分を備えた面を有し、上側部分を下側部分に対して少なくとも２つの異なる姿勢に配置することができる球技用の反発壁を提供する。
【０００３】
別の広義の形態では、本発明は、ボールを当てることができ下側部分と上側部分を備えた面を有し、下側部分が垂直に対して下後方に傾斜された球技用の反発壁を提供する。
【０００４】
更に別の広義の形態では、本発明は、ボールを当てることができ、少なくとも２つの部分を有し、それぞれの部分から異なるようにボールが跳ね返る面を有する球技用の反発壁を提供する。
【０００５】
これらの部分のうちの１つの部分が、地面と隣り合って配置され、地面上でこの部分に向かって転がさられ、蹴られ、投げられ、或いは投射されたボールが、地面に沿って部分から跳ね返るように傾斜されていることが好ましい。
【０００６】
部分の一部は、地面上で面に向かって転がさられ、蹴られ、投げられまたは他の方法で投射されたボールが、上方に上昇し、好ましくは十分な速度で投射された場合に面から上方の空中に跳ね返るように傾斜された面を形成するか現すように取り外し可能である。
【０００７】
部分の別の部分は、この別の部分に対して蹴られ、投げられまたは他の方法で空中に投射されたボールが、上方に上昇し、好ましくは十分な速度で投射された場合に別の部分から上方の空中に跳ね返るように傾斜されることが好ましい。
【０００８】
更に他の広義の形態では、本発明は、ボールを当てることができ、下側部分と上側部分を備える面を有し、下側部分が垂直に対して下後方に傾斜され、上側部分は垂直に対して上後方に傾斜された球技用の反発壁を提供する。
【０００９】
面は、湾曲部分を備えてもよい。面が、少なくとも２つの部分または１つの上側部分と１つの下側部分を有する場合、前記上側部分は、下側部分に対して傾斜されてもよい。
【００１０】
上側部分は、下側部分に対して少なくとも２つの異なる姿勢に配置されてもよい。
【００１１】
下側部分は、垂直に対して下後方に傾斜されてもよい。下側部分は、垂直に対して約５度で下後方に傾斜されてもよい。
【００１２】
上側部分がとることができる姿勢の１つは、ほぼ垂直である。上側部分は、垂直に対して０〜４５度でよい。好ましい１つの姿勢は、垂直に対して約３０度である。
【００１３】
反発壁は、基台ユニットと壁ユニットを備えてもよく、壁ユニットは、基台ユニット上に取り付け可能である。
【００１４】
基台ユニットは、第１の係合手段を備えてもよく、壁ユニットは、第１の係合手段に対して相補的な第２の係合手段を備えてもよく、それにより基台ユニットと壁ユニットは係合することができる。
【００１５】
壁ユニットまたは基台ユニットは、少なくとも２組の第１または第２の係合手段を備えてもよく、各組の係合手段が係合されたとき、壁ユニットは基台ユニットに対して異なるように位置決めされる。
【００１６】
第１と第２の係合手段は、ソケットおよびそれと相補的な突起を備えてもよい。第１の係合手段は、少なくとも１つのソケットを備えてもよく、第２の係合手段は、少なくとも１つの突起を備えてもよい。
【００１７】
壁ユニットは、下側縁を有することができ、１つの第２の係合手段は、下側縁から突出する少なくとも１つの突起を有することができる。
【００１８】
壁ユニットは、上側縁を有することができ、１つの第２の係合手段は、上側縁から突出する少なくとも１つの突起を有することができる。
【００１９】
壁ユニットは、軸のまわりに回転するように基台ユニットに取り付けられてもよい。
【００２０】
反発壁は、壁ユニットと基台ユニットの間に延在する少なくとも１本の支柱を備えてもよい。基台ユニットは、その１本の支柱または各支柱用に少なくとも２つの取り付け位置を有することができる。各取り付け位置は、支柱を受ける凹部を備えてもよい。
【発明を実施するための最良の形態】
【００２１】
図１から図９を参照すると、反発壁１０が提供される。反発壁は、２つの主構成要素である基台１２と直立壁１４を備える。オプションの重量基台１６が提供され、その上に基台１２が位置決めされてもよい。
【００２２】
基台１２は、中空プラスチック成形法により形成され、中央部分１８とその両側から後方に延在する２つの脚部２０とを有する。好ましい実施形態では、基台は、幅約１０００ｍｍと奥行き７００ｍｍである。中央部分の前面２２は、平坦な中央部分２４と外側部分２６とを有する。高さは約１００ｍｍである。図４で分かるように、外側部分は、平面図では、前方に突出している。好ましい実施形態では、これらの外側部分は、前方に湾曲され、最も好ましくは楕円形状である。必要に応じて、外側部分は、ほぼ平面で且つ前方に傾斜されてもよい。これは、好ましいものであり本質的なものではなく、前面全体が単一平面で延在してもよい。図５で分かるように、前面２２は、底面２８に対して垂直（９０度）ではないが、底面２８に対して上前方に延在する（ｅｘｔｅｎｄ、延びる、及ぶ）。好ましい実施形態では、この角度３０は約５度である。これは、好ましいものであり本質的なものでなく、前面は、垂直に対して９０度または約９０度で延在してもよい。必要に応じて、面は、後方に延在してもよい。垂直の両側に約５度の範囲（即ち、±５度）が許容可能である。
【００２３】
基台１２と直立壁１４の質量は共に、１２〜１５ｋｇであることが好ましい。好ましい実施形態では、基台１２は中空であり、ユニットの質量を大きくするために水や砂などの適切なバラストで満たされてもよい。
【００２４】
中央部分の上面３２は、直立壁１４の下面と相補的である。上面３２は、直立壁１２の下面内の相補的な凹部３５と係合する中央「隆起部（ｈｕｍｐ）」３３を有する。この隆起部は、２つの構成要素を共に位置決めするのに役立ち、不可欠なものではない。必要に応じて、上面３２は、平坦で且つ底面２８と平行な水平面内で延在してもよい。面３２が平坦または底面２８に対して平行でありまた直立壁１４の底面に対して相補的であることは不可欠ではない。
【００２５】
上側面３２は、中央部分の幅のほとんどを横切って延在する中央スロット３４と、中央スロット３４の両側にある２つの外側スロット３６とを有する。図５で分かるように、これらのスロット３４および３６は、断面が長方形であり、ほぼ垂直下方に延在する。
【００２６】
スロット３４，３６の後方には、中央部分１８内を貫通する一連の垂直孔３８がある。これらは、保持ペグを挿入するためのものであり、概略丸形断面である。丸形断面は必須ではなく、代わりに他の形状を使用することができる。
【００２７】
脚２０には、垂直に対して約３０度で下後方に延在する一連の穴４０がある。これらも保持ペグを挿入するためのものであり、Ｔ字形断面のものである。Ｔ字形状が好ましいが必須ではなく、代わりに他の形状を使用することができる。
【００２８】
直立壁１４は、基台の幅に対応する幅を有する。壁は、下側面５０と上側面５２を有する。下側面５０は、前面５４に対して約９０度で延在する。下側面５０から下方には、中央突起４２と側部突起４４が突出している。これらの突起は、基台内のスロット３４および３６に挿入されるようにサイズと位置が決められ、下側面５０に対して約９０度で突出する。組み立てられたとき、下側面は、図１に示したように突起４２および４４がスロット３４および３６に入る状態で基台の上側面３８に当たる。装置の両側にあるラッチ３９は、２つの構成要素を一緒にロックし、基台ユニット１２に対する直立壁１４の動きが最小になるように直立壁１４を基台ユニット１２に対して確実に保持する。ボールが直立壁１４から跳ね返える大きさは、直立壁１４と基台１２の間に動きがある場合はその動きの大きさに依存する。ラッチは、ユーザが、２つの構成要素が保持される強さを変えることができ、従ってユニットで跳ね返る大きさを変化させることができるように、複数の固定位置４１によって調整可能である。
【００２９】
この形態では、図１で分かるように、直立壁１４の前面５４はほぼ垂直方向に延在する。前面５４は、基台の前面２４に対して類似の構成を有し、従って、図８で分かるように、前方に延在するほぼ平坦な中央部分５６と側面部分５８とを有する。しかしながら、前面５４は、垂直でなくてもよく、垂直の約５〜１０度以内でもよい。垂直でない場合、前面５４は、ボールを前面自体から上方に跳ね返らせるように前方ではなく後方に傾斜されることが好ましい。
【００３０】
直立壁１４は、水平軸のまわりに回転され且つその上側面５２が基台１２の上側面３２と係合して別の形態を提供するように設計される。
【００３１】
直立壁１４の上面５２は、前面に対して９０度で延在しているが、むしろ水平に対して約３０度で延在している。上側面５２から上方に中央突起４６と側部突起４８が突出している。これらの突起は、基台のスロット３４および３６に挿入されるようにサイズと位置が決められ、上側面５２に対して約９０度、即ち垂直に対して約３０度で突出する。この形態で組み立てられたとき、上側面５２は、突起４６および４８がスロット３４および３６内にある状態で基台の上側面３８に当たる。しかしながら、上側面５２と突起が前面５４に対して傾斜されているので、前面は、垂直に対して約３０度で後方に傾けられている。しかしながら、前面５４は、厳密に３０度でなくてもよく、垂直に対して約０度〜約４５度の範囲で傾けられてもよい。
【００３２】
したがって、上側面と下側面のどちらが基台と係合されるかにより、前面は、実質的に垂直である場合もあり後方に傾けられる場合もある。
【００３３】
壁の角度を変更できるように基台ユニット上に複数組のソケットが設けられてもよいことを理解されよう。更に、基台が突起を備え、壁ユニットがソケットを備えてもよい。
【００３４】
反発壁１０は、基台１２と直立壁１４の２つの主構成要素だけと共に使用されてもよい。これらの構成要素だけと共に使用されるときは、装置を地面に固定することが最も適切である。従って、杭またはペグを基台のＴ字形の穴４０の１つまたは複数に通し地面に差し込んでもよい。これにより装置が大きく動かなくなる。
【００３５】
図１８は、基台１２と直立壁１４が、保管と輸送のために再構成された変形を示す。直立壁１４が基台１２から分離されたとき、直立壁１４は、その裏面５３が脚に重なって上側面５２が基台１２の前部の後面と係合するように回転されてもよい。突起４４は、この後ろに向いた面の相補的なスロット（図示せず）に嵌る。下側面５０は脚の自由端にある。ラッチ５５は、２つの構成要素を共に固定する。これにより、２つの構成要素は、比較的小型のスーツケースサイズの物体となる。持ち運びし易いように、ハンドル５１が設けられてもよい。
【００３６】
アスファルトまたはコンクリート面上で使用するときのように杭やペグを地面に打ち込むことができない場合、オプションの重量基台１６を使用してもよい。重量基台１６は、基台１２と類似の平面形状を有し、従って中央部分６０と中央部分の両側から後方に延在する２つの脚６２とを有する。重量基台は、高さ約１００ｍｍである。重量基台１６は中空であり、水や砂や他の適切な材料で満たされてもよく、水で満たされたときは、約２０〜４０ｋｇ、好ましくは約３０〜４０ｋｇの質量を有する。下側面６４は、中央部分６０の両端と脚の自由端にゴム足６６を備える。これらの足６６は、使用中の装置の動きを防ぐ働きをする。基台１２は、重量基台の上だけに乗り、基台の下側面２８に設けられた相補的な凹部内に延在する重量基台の上側面７０上の突起６８によって適切な位置に固定される。
【００３７】
重量基台１６と基台１２は、ラッチ６９を使用して共に固定される。この場合も、その係合の強さを調整するための複数の固定位置があってもよい。
【００３８】
重量基台の前面７２は、基台の前面２２と類似の角度（垂直に対して約５度）で傾けられる。必要に応じて、面７２は垂直でもよい。面２２の場合と同じように、面７２は、１つの中央平坦部分７４と２つの傾斜部分７６を有する。
【００３９】
使用する際、プレーヤは、反発壁１０の前に、脚が直立壁の後ろにある状態で直立壁１４に向かって立つ。プレーヤは、ボールを直立壁１４の方に蹴る。ボールは、直立壁１４、基台１２の前面２２、または重量基台１６の前面７２に当たる。次に、ボールはプレーヤの方に跳ね返る。ボールが面２２と７２のどちらかに当たった場合、角度により壁が地面の方に跳ね返る。
【００４０】
図１に示した形態では、直立壁１４の面５４はほぼ垂直である。ボールが直立壁の面５４に当たった場合、ボールは、上方またはプレーヤの方にほぼ水平方向に跳ね返る場合がある。プレーヤは、ボールをトラップし、次に再び反発壁に向かってボールを蹴ることができる。３つの構成要素の傾斜した縁部分によって、ボールがプレーヤの方に戻り易くなる。下側面５２は、プレーヤが地面上でボールを蹴り、ボールを地面に沿って返すことを可能にする。わずかな下向きの角度が、ボールを空中に跳ね返らせずにボールを落下させる。
【００４１】
直立壁が約３０度後方に傾斜した他の構成では、ボールが面５４に当たると上方に跳ね返る。これにより、プレーヤは、ボールが比較的急な角度で落下する状態でボールを自分の胸または足でトラップする練習をしたり、ボールをヘディングする練習をしたりすることができる。
【００４２】
傾斜部分は、ボールをプレーヤの方に戻すのに役立つが、そのような傾斜部分は本発明にとって必須ではない。更に、好ましい実施形態は、１つのほぼ平坦な部分と、やはり平坦な２つの傾斜部分とを有するが、他の形状を使用することもできる。例えば、前面は、一定半径または可変半径の湾曲面を有する凹形状でもよい。中央部分は平面でよく、縁部分は湾曲してもよい。面の他の形状を使用することができる。
【００４３】
図２１は、重量基台１６の前部にラッチ７３によって取り付けることができる増設傾斜壁７１を示す。傾斜壁７１は、重量基台１６と基台１２の両方の前に延在し、傾斜した前面７５を提供する。プレーヤは、ボールが面７５と接触するように地面に沿ってボールを蹴ることができる。傾斜面は、ボールを地面に沿ってではなく空中に跳ね返す。必要に応じて、傾斜壁は、重量基台１６だけと使用されてもよく、重量基台と反発壁と共に使用されてもよい。基台１２だけに取り付けるように構成された傾斜壁が提供されてもよい。
【００４４】
図１０は、傾斜構造で且つ回転された反発壁１０を示す。直立壁１４の側面から基台１２の脚の側面まで網８０が延在する。従って、この装置は、標的練習（ｔａｒｇｅｔ  ｐｒａｃｔｉｃｅ）またはゲームに使用できる目標となる。
【００４５】
図１１と図１２に、本発明の第２の実施形態による反発壁１００を示す。反発壁１００は、基台１０２と直立壁１０４を有する。基台は、第１の実施形態と類似のＵ字形状を有し、従って、両側から脚１０８が後方に延在している中央部分１０６を有する。
【００４６】
前面１１０は、平坦で且つ垂直に対して約５度傾斜し、第１の実施形態の面２２と同じように前向きの上側縁を備える。
【００４７】
直立壁１０４は、軸１１２のまわりに基台１０２に取り付けられ、いくつかの姿勢のうちの１つに枢動（ｐｉｖｏｔ、軸旋回）することができる。脚１０８の上面１１４には、一連の止まり穴１１６がある。支柱１１８が、それぞれの脚の穴１１６のうちの１つの中に延在し、設定された角度で直立壁１０４を固定する。支柱を挿入する穴１１６を変えることによって、直立壁の角度を変更することができる。
【００４８】
代替として、各脚１１４は、鋸歯状面を有し長手方向に延在するスロットを備えてもよく、支柱の端が、スロットと係合する相補的な鋸歯状面を備えてもよい。これにより、より大きな範囲の調整が可能になる。
【００４９】
図１７は、各脚１１４に脚１１４を貫通するスロット１１７がある変形例を示す。固定柱１１８は、スロットを通り、基台が置かれる地面と係合する。またこれにより、広範囲の調整が可能になる。
【００５０】
図１１と図１２の実施形態は、平坦な前面を有するように示されているが、前面が、図１の実施形態のようにまたは前述のように構成されてもよいことを理解されたい。
【００５１】
図１３から図１６は、本発明の実施形態に適用できる修正を示す。直立壁１２０は、その前面１２４に一連の穴１２２を備える。図１４で分かるように、穴１２２は、直立壁１２０の裏面１２６から座ぐりされている。
【００５２】
穴１２２のうちの１つを介して前面に取り付けられた１つまたは複数の標的１３０が設けられている。各標的１３０は、円盤１３２を有し、円盤の後側の中心からは固定拡張部１３４が突出している。固定拡張部は、座ぐり穴１２２と実現可能に係合し、標的を直立壁に固定する。示した実施形態では、固定拡張部は２本以上の弾性脚を有し、この弾性脚には、その自由端に再入可能なかえしがある。固定拡張部は穴に差し込まれ、かえし部分がそれより小さな径の部分１４０を超えるまで脚が互いの方に押されてもよい。この時点で脚が外方にはねて、標的が適所に固定される。取り外すときは、脚が一緒に押され、標的が直立壁から取り外される。
【００５３】
図１６に示したように、標的は、時計若しくはカウンタ１４２または両方を備えてもよい。カウンタは、十分な力を持つボールが当たったときに増分する。標的に当たったときに短時間点灯する傾斜面１４４が設けられてもよい。標的は、ボールが当たったときに圧縮されるように中空で柔軟であることが好ましい。標的内の空気が漏れることを可能にするスロット１４５が設けられてもよい。スロットは、ボールが当たって空気が押し出されるときに警笛を鳴らすか他の方法で音をたてるように構成されてもよい。従って、ユーザは、標的に当てる練習をすることができ、また標的に当たったことおよび／または標的に当たった回数に関するフィードバックを受けることができる。時計と一緒に使用されるとき、ユーザは、設定期間内に何度も標的に当てるように試みることができる。必要に応じて、壁自体は、標的とは別の時計とカウンタを備えてもよい。従って、ユーザは、標的のない壁を使用することができる。時計とカウンタを使用して、ユーザが設定期間内にボールを壁に向かって何回蹴ることができるかを決定することができる。
【００５４】
図１９と図２０は、本発明の更に他の実施形態による反発壁１５０を示す。反発壁１５０は、１つの前面パネル１５２と２つの後方に延在する脚１５４を有する。前面パネル１５２は、上側面１５６と下側面１５８を有する。上側面１５６と下側面１５８は互いに対して固定される。面１５６，１５８の寸法は、他の実施形態に似ており、従って下側面１５８は高さ約１００ｍｍである。下側面１５８は、垂直でもよく、垂直に対して前方または後方に傾斜して延在してもよい。下側面は、垂直に対して約５度下後方に延在することが好ましい。上側面１５６は、垂直に対して約３０度上後方に延在する。これらの角度が変更されてもよいことを理解されよう。
【００５５】
脚１５４は、ヒンジによって前面パネルに取り付けられ、保管または輸送をより容易にするためにヒンジのまわりに前面パネルの後方に回転されてもよい。脚は、オーバーセンターラッチ１６２によって適切な位置に保持される。これらのラッチは、前面パネル上に複数の固定位置１６４を有し、これにより、閉じたときのラッチの締まり具合を調整して、ボールが前面から跳ね返る量を変更することができ。これらの位置が脚１５４の上にあってもよいことを理解されよう。
【００５６】
反発壁１５０は、図１の実施形態のように、穴１６８を通るペグなどを使って地面に取り付けられてもよい。これらの穴は、図１の実施形態の４０の穴と同じように構成される。壁は、重量基台１６６に取り付けられてもよい。重量基台１６６は、図１の実施形態の重量基台１６と同じように構成される。
【００５７】
本発明の実施形態は、横に並んで結合されてもよい。図２１は、ユニット１０内の適切な穴を通る適切な留め具１８０によって結合された２台の反発壁ユニット１０を示す。他の留め具を使用してもよい。
【００５８】
図２２と図２３は、垂直に対して約５度で下後方に延在する前面２０２を有する基台ユニット２００を示す。基台ユニット２００は、その上側面２０４に配置された図１の壁１４などの直立壁を有するように設計される。分かりやすくするために、取り付け箇所は示されていない。
【００５９】
基台ユニット２００には、前面２０２の大部分を横切って延在する可動部分２０６が取り付けられる。この可動部分２０６は、図２３で分かるように断面が三角形であり、図２２で分かるようにその下側縁２０８またはその下側縁の近くで基台ユニットに枢動可能に取り付けられている。基台ユニット２００は、可動部分２０６を収容する凹部を有する。
【００６０】
図で分かるように、可動部分２０６は、２つの姿勢のいずれに位置決めされてもよい。図２２では、可動部分２０６は閉じられ、前面は、垂直に対して５度で実質的に連続している。この位置では、地面に沿って前面２０２に向かって蹴られたボールは、地面に沿って跳ね返される。
【００６１】
図２３で分かるように、下側位置で、可動部分２０６は、約１８０度回転され、その結果、前面の部分２０２ａは前面２０２に対向し、その上側面２１０は地面にほぼ水平に乗る。従って、可動部分２０６の第３の面２１２は上後方に延在する。従って、基台の第３の面２１２と面２１４は傾斜面を形成する。使用する際、地面に沿って蹴られたボールは、傾斜面を転がり上がるか持ち上げられ、ユーザの方に空中に跳ね返される。
【００６２】
面２１２と２１４は、平坦でなくてもよく、回転軸２０８とほぼ垂直な方向に湾曲されてもよい。これらの面の一方または両方が凹面または凸面でもよい。また、面２１２と２１４は、回転軸２０８を横切って湾曲されてもよい。可動部分２０６が図２２に示した閉位置にあるとき、面２１２と２１４が互いに接触していなくてもよい。
【００６３】
示した実施形態の可動部分２０６は、軸のまわりに回転するが、２つの位置での位置決めを可能にする他の方法を使用することができることを理解されよう。例えば、部分２０６と基台ユニットには、可動部分２０６が複数の位置のうちの１つになることを可能にする相補的な舌状部と溝を備えてもよい。
【００６４】
図２２の基台ユニットは、２本の後方に延在する脚２２０を備え、この２本の脚２２０自体の間に開口部２２２を画定する。この実施形態は、開口部２２２に嵌るように形成された別個のバラストユニット２２４を備えてもよい。バラストユニット２２４は、１つまたは複数の充填穴２２６から水または砂で満たされてもよい。バラストユニットを基台ユニット２０４の下ではなく後ろで使用することにより、バラストユニットを使用するかどうかに関係なく基台ユニット２０４が地面上に留まる。
【００６５】
本発明の実施形態は、移動をし易くするホイールを備えてもよい。ホイールは、輸送のために脚の自由端に取り付けられてもよく、脚の自由端に組み込まれてもよい。ホイールは後方に延在し、通常位置では地面と係合しないことが好ましい。装置の前部を持ち上げるとホイールが地面と噛み合い、装置を地面上で押すことができる。
【００６６】
文脈で特に明らかに必要とされない限り、説明と特許請求の範囲の全体を通して、単語「ｃｏｍｐｒｉｓｅ」（備える、有する）や「ｃｏｍｐｒｉｓｉｎｇ」などは、排他的または網羅的な意味ではなく包括的な意味、すなわち「〜を含むがそれらに限定されない」という意味で解釈される。
【００６７】
本発明の精神や範囲から逸脱することなく本明細書に示された実施形態に対する多数の明らかな修正と変形を行うことができることを当業者には明らかであろう。
【図面の簡単な説明】
【００６８】
【図１】本発明の第１の実施形態の前方斜視図である。
【図２】図１の実施形態の重量基台構成要素の平面図である。
【図３】重量基台構成要素の側面図である。
【図４】図１の実施形態の基台構成要素の平面図である。
【図５】基台構成要素の側面図である。
【図６】図１の実施形態の直立壁構成要素の正面図である。
【図７】図１の線ＸＸに沿って得られた直立壁構成要素の断面図である。
【図８】図６の線ＹＹに沿って得られた直立壁構成要素の断面図である。
【図９】直立壁構成要素の側面図である。
【図１０】オプションの網を備えた第１の実施形態の後方斜視図である。
【図１１】本発明の第２の実施形態の前方斜視図である。
【図１２】本発明の第２の実施形態の側面図である。
【図１３】オプションの標的を備えた本発明の第３の実施形態の前方斜視図である。
【図１４】第３の実施形態と標的の一部分の側面断面図である。
【図１５】オプションの標的の後方斜視図である。
【図１６】オプションの標的の前方斜視図である。
【図１７】図１１の実施形態の脚の変形例を示す図である。
【図１８】保管形態の図１の実施形態の変形例の斜視図である。
【図１９】本発明の更に他の実施形態の後方斜視図である。
【図２０】図１９の実施形態のロック機構の図である。
【図２１】本発明の２つのユニットの接合を示す図である。
【図２２】バラストユニットと共に第１の形態の本発明の別の変形例の斜視図である。
【図２３】第２の形態の図２２の装置の斜視図である。
【図１】
2010516297.tif 000003
2010516297.tif 000004
【図４】
2010516297.tif 000005
【図５】
2010516297.tif 000006
【図６】
2010516297.tif 000007
【図７】
2010516297.tif 000008
【図８】
2010516297.tif 000009
【図９】
2010516297.tif 000010
【図１０】
2010516297.tif 000011
【図１１】
2010516297.tif 000012
【図１２】
2010516297.tif 000013
【図１３】
2010516297.tif 000014
【図１４】
2010516297.tif 000015
【図１５】
2010516297.tif 000016
【図１６】
2010516297.tif 000017
【図１７】
2010516297.tif 000018
【図１８】
2010516297.tif 000019
【図１９】
2010516297.tif 000020
【図２０】
2010516297.tif 000021
【図２１】
2010516297.tif 000022
【図２２】
2010516297.tif 000023
【図２３】
2010516297.tif 000024
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
ボールを当てることができる面を有し、該面が下側部分と上側部分を有する球技用の反発壁であって、
前記下側部分は、垂直に対して下後方に傾斜され、
前記上側部分は、垂直に対して上後方に傾斜され、
前記下側部分の一部が、可動要素の第１の面によって画定され、該可動要素は、第２の面を有し且つ第１と第２の動作位置の間にあり、
第１の動作位置では、第１の面は、下側部分の残りの部分と実質的に位置合わせされ、
第２の動作位置では、第２の面は、露出され、下側前方に傾斜されて傾斜面を構成する、前記反発壁。
【請求項２】
前記下側部分は、垂直に対して約５度下後方に傾斜された、請求項１に記載の反発壁。
【請求項３】
前記面は、少なくとも１つの湾曲部分を有する、請求項１または請求項２に記載の反発壁。
【請求項４】
前記上側部分は、前記下側部分に対して少なくとも２つの異なる姿勢で配置することができる、請求項１から３のいずれか１項に記載の反発壁。
【請求項５】
前記姿勢のうちの１つで、上側部分は、ほぼ垂直である又は垂直に対して約３０度である、請求項４に記載の反発壁。
【請求項６】
基台ユニットと壁ユニットを有し、壁ユニットは基台ユニット上に取り付け可能な、請求項１から５のいずれか１項に記載の反発壁。
【請求項７】
前記下側部分は前記基台ユニット上にあり、前記上側部分は前記壁ユニット上にある、請求項６に記載の反発壁。
【請求項８】
前記基台ユニットは、第１の係合手段を有し、前記壁ユニットは、該第１の係合手段と相補的な第２の係合手段を有し、それにより前記基台ユニットと前記壁ユニットを係合することができる、請求項６から７のいずれか１項に記載の反発壁。
【請求項９】
前記壁ユニットは、少なくとも２つの第２の係合手段を有し、前記壁ユニットは、それぞれの第２の係合手段が前記第１の係合手段と係合されたときに前記基台ユニットに対して異なるように位置決めされる、請求項８に記載の反発壁。
【請求項１０】
前記第１と第２の係合手段は、ソケットおよび相補的な突起を有する、請求項９に記載の反発壁。
【請求項１１】
前記第１の係合手段は、少なくとも１つのソケットを有し、
前記第２の係合手段は、少なくとも１つの突起を有する、請求項８から１０のいずれか１項に記載の反発壁。
【請求項１２】
前記壁ユニットは下側縁を有し、１つの前記第２の係合手段は、下側縁から延在する少なくとも１つの突起を有する、請求項８から１１のいずれか１項に記載の反発壁。
【請求項１３】
前記壁ユニットは、下側縁を有し、１つの前記第２の係合手段は、上側縁から延在する少なくとも１つの突起を有する、請求項８から１２のいずれか１項に記載の反発壁。
【請求項１４】
前記壁ユニットは、軸のまわりで回転するように前記基台ユニットに取り付けられた、請求項８に記載の反発壁。
【請求項１５】
前記下側部分の前に延在する傾斜面部分を有し、該傾斜面部分が上後方に延在する、請求項１から１４のいずれか１項に記載の反発壁。
【国際調査報告】
2010516297.tif 000025
2010516297.tif 000026
2010516297.tif 000027